(57)【要約】      （修正有）【課題】ソープバータイプのピックアップが装着されているギターに木部への追加工なしに装着できるハムバッカー構造のピックアップを実現する為のボビン構造を提供する。【解決手段】ボビン形状をスクリュ穴１個を確保する構造にし、同形状のボビンを向かい合わせて配置し、ボビンを互いに固定する。ボビン上板２は右半分が拡張されスクリュを通す穴３と突起部４を有する。ボビン下板は左半分が拡張されスクリュを通す穴と突起部を有する。突起４どうし、また突起どうしが噛み合いまた上下で噛み合う方向が反対になる為、ボビン２個がお互いに水平方向において位置を保持することができる。【選択図】図１
0003178648.tif 000002
【実用新案登録請求の範囲】
【請求項１】
エレクトリックギター用ピックアップの構成部品であるボビン（１）に、スクリュ及び木ねじを貫通させる為の穴（３）（６）と突起（４）（７）を持つ形態を備えることを特徴とするボビン構造。
【請求項２】
ボビン上板（２）とボビン下板（５）の形状を互い違いにすることにより、同形状のボビンの組み合わせ（８）においても互いの位置を保持することを特徴とするボビン構造。
【考案の詳細な説明】
【技術分野】
【０００１】  本考案はエレクトリック・ギター用ピックアップ構造に関し、新たな外観を持たせることによりギター本体への取り付けの自由度を得ると共に、新たな視覚的要素、良い音質を演奏者に提供するエレクトリック・ギター用ピックアップ構造に係わる。
【背景技術】
【０００２】  従来より存在するピックアップの中にソープバータイプと呼ばれるものがあり、そちらはピックアップ中心部付近に２つの穴を持ち、そこに２本の木ねじ及びスクリュを通し、本体へ装着している。
ギター表面にはソープバータイプのピックアップの形状に合わせてポケット加工されている。【０００３】  このソープバータイプのピックアップはシングルコイル構造で１個のボビンにエナメルワイアが巻きつけられている。【０００４】  このシングルコイル構造の他にハムバッカーと呼ばれる２個のボビン及びコイルを組み合わせたものが存在し一般的に使用されている。
【考案の概要】
【０００５】  本考案はソープバータイプのピックアップが装着されているギターに木部への追加工なしに装着できるハムバッカー構造のピックアップを実現する為のボビン形状のことである。
【考案が解決しようとする課題】
【０００６】  １個のボビンで構成されるソープバータイプのピックアップが装着されていた場所に２個のボビンを配し、かつ中心部２ヶ所に木ねじ及びスクリュ穴を設けるには２個のボビンを離して配置する必要があり、外観的に間の抜けたものになる。
【課題を解決する為の手段】
【０００７】  ボビン形状をスクリュ穴１個を確保する構造にし、同形状のボビンを向かい合わせて配置すれば外観もよく、また樹脂製であるボビンを製造する金型も１種類で済む。
さらにボビン形状を互いに位置を固定する形状にすることにより組立精度を向上させる。
【考案の効果】
【０００８】  手軽に新しい外観、音質を楽しむことができる。
【考案を実施するための形態】
【０００９】  図は本考案の実施例を示すものであり、エナメルワイアを巻き付ける為のボビンと呼ばれる部品である。
【００１０】  ボビン上板２は右半分が拡張されスクリュを通す穴３と突起部４を有する。
【００１１】  ボビン下板５は左半分が拡張されスクリュを通す穴６と突起部７を有する。
【００１２】  ８はこのボビン本体１を組み合わせた状態である。突起４どうし、また突起７どうしが噛み合いまた上下で噛み合う方向が反対になる為、ボビン２個がお互いに水平方向において位置を保持することができる。スクリュ穴３及び６も確保される。
【符号の説明】
【００１３】１・・・ボビン本体
２・・・ボビン上板
３・・・スクリュ及び木ねじ通り穴
４・・・突起
５・・・ボビン下板
６・・・スクリュ及び木ねじ通り穴
７・・・突起
８・・・ボビン本体２個を組み合わせた状態
0003178648.tif 000003
【手続補正書】
【提出日】平成24年7月3日(2012.7.3)
【手続補正１】
【補正対象書類名】実用新案登録請求の範囲
【補正対象項目名】全文
【補正方法】変更
【補正の内容】
【実用新案登録請求の範囲】
【請求項１】
エレクトリックギター用ピックアップの構成部品であるボビン（１）に、スクリュ及び木ねじを貫通させる為の穴（３）（６）と突起（４）（７）を持つ形態を備えることを特徴とするボビン構造。
【請求項２】
ボビン上板（２）とボビン下板（５）の形状を互い違いにすることにより、同形状のボビンの組み合わせ（８）においても互いの位置を保持することを特徴とする請求項１記載のボビン構造。
【手続補正２】
【補正対象書類名】明細書
【補正対象項目名】全文
【補正方法】変更
【補正の内容】
【考案の詳細な説明】
【技術分野】
【０００１】  本考案はエレクトリック・ギター用ピックアップ構造に関し、新たな外観を持たせることによりギター本体への取り付けの自由度を得ると共に、新たな視覚的要素、良い音質を演奏者に提供するエレクトリック・ギター用ピックアップ構造に係わる。
【背景技術】
【０００２】  従来より存在するピックアップの中にソープバータイプと呼ばれるものがあり、そちらはピックアップ中心部付近に２つの穴を持ち、そこに２本の木ねじ及びスクリュを通し、本体へ装着している。
ギター表面にはソープバータイプのピックアップの形状に合わせてポケット加工されている。【０００３】  このソープバータイプのピックアップはシングルコイル構造で１個のボビンにエナメルワイアが巻きつけられている。【０００４】  このシングルコイル構造の他にハムバッカーと呼ばれる２個のボビン及びコイルを組み合わせたものが存在し一般的に使用されている。
【考案の概要】
【０００５】  本考案はソープバータイプのピックアップが装着されているギターに木部への追加工なしに装着できるハムバッカー構造のピックアップを実現する為のボビン形状のことである。
【考案が解決しようとする課題】
【０００６】  １個のボビンで構成されるソープバータイプのピックアップが装着されていた場所に２個のボビンを配し、かつ中心部２ヶ所に木ねじ及びスクリュ穴を設けるには２個のボビンを離して配置する必要があり、外観的に間の抜けたものになる。
【課題を解決する為の手段】
【０００７】  ボビン形状をスクリュ穴１個を確保する構造にし、同形状のボビンを向かい合わせて配置すれば外観もよく、また樹脂製であるボビンを製造する金型も１種類で済む。
さらにボビン形状を互いに位置を固定する形状にすることにより組立精度を向上させる。
【考案の効果】
【０００８】  手軽に新しい外観、音質を楽しむことができる。
【図面の簡単な説明】
【０００９】
【図１】  ボビンを上から見た図
【図２】  ボビンを横から見た図
【図３】  ボビンを下から見た図
【図４】  ２個のボビンを組み合わせ、上から見た図
【考案を実施するための形態】
【００１０】  図は本考案の実施例を示すものであり、エナメルワイアを巻き付ける為のボビンと呼ばれる部品である。
【００１１】  ボビン上板２は右半分が拡張されスクリュを通す穴３と突起部４を有する。
【００１２】  ボビン下板５は左半分が拡張されスクリュを通す穴６と突起部７を有する。
【００１３】  ８はこのボビン本体１を組み合わせた状態である。突起４どうし、また突起７どうしが噛み合いまた上下で噛み合う方向が反対になる為、ボビン２個がお互いに水平方向において位置を保持することができる。スクリュ穴３及び６も確保される。
【符号の説明】
【００１４】１・・・ボビン本体
２・・・ボビン上板
３・・・スクリュ及び木ねじ通り穴
４・・・突起
５・・・ボビン下板
６・・・スクリュ及び木ねじ通り穴
７・・・突起
８・・・ボビン本体２個を組み合わせた状態
【手続補正３】
【補正対象書類名】図面
【補正対象項目名】全図
【補正方法】変更
【補正の内容】
【図１】
0003178648.tif 000004
【図２】
0003178648.tif 000005
【図３】
0003178648.tif 000006
【図４】
0003178648.tif 000007